(57)【特許請求の範囲】
【請求項１】
面を上下に向けた姿勢のフラットケーブルの、前方からの挿入を受け入れるハウジング、
前記ハウジングに固定される固定部と、該固定部から前記ハウジングに受け入れられたフラットケーブルの下面に沿って前方に延びて該フラットケーブルの下面との接触を担う下側ビームと、該下側ビームの、該固定部から前方に向かって延びる途中で該下側ビームから分岐し、該下側ビームとの間に前記フラットケーブルの端部を受け入れる受入部を形成して該フラットケーブルの上側に延びる作動ビームと、前記固定部から前記作動ビームの上を通り該作動ビームを越えて前方に延びて該フラットケーブルの上面との接触を担う上側ビームとを有するコンタクト、および
前記作動ビームに作用するカム部を有し、該カム部による前記作動ビームへの作用を解除することにより前記受入部を前記フラットケーブルを受け入れる状態に開くケーブル受入姿勢と、前記カム部で前記作動ビームを押し上げることにより該受入部に受け入れられているフラットケーブルを前記下側ビームに下から押圧させて該フラットケーブルを前記上側ビームと該下側ビームとで挟持させるケーブル固定姿勢との間で回動自在なアクチュエータを備えたことを特徴とするフラットケーブル用電気コネクタ。
【請求項２】
前記フラットケーブルは、前記ハウジングに受け入れられる端部に、端縁寄りの端縁側端子と、該端縁から離れて該端縁側端子に隣接した位置の奥側端子とが該端縁に沿う幅方向に交互に配置されたものであって、
前記コンタクトが、前記奥側端子との接触を分担するものであり、
当該フラットケーブル用電気コネクタがさらに、
前記ハウジングに固定される第２の固定部と、該第２の固定部から互いに分岐し前記フラットケーブルを互いの間に受け入れる第２の受入部を形成して該フラットケーブルのそれぞれ下面および上面への接触を担う第２の下側ビームおよび第２の上側ビームとを有し、前記端縁側端子との接触を分担する第２のコンタクトを備え、
前記アクチュエータがさらに、前記第２の上側ビームに作用する第２のカム部であって、前記ケーブル受入姿勢では該第２の上側ビームへの作用を解除することにより前記第２の受入部を前記フラットケーブルを受け入れる状態に開くとともに前記ケーブル固定姿勢では前記第２の上側ビームを押し下げることにより該第２の受入部に受け入れられているフラットケーブルを前記第２の上側ビームに上から押圧させて該フラットケーブルを該第２の上側ビームと前記第２の下側ビームとで挟持させる第２のカム部を有するものであることを特徴とする請求項１記載のフラットケーブル用電気コネクタ。
【発明の詳細な説明】
【技術分野】
【０００１】
本発明は、フラットケーブル用電気コネクタに関する。
【背景技術】
【０００２】
従来より、フレキシブルフラットケーブル（ＦＦＣ：ｆｌｅｘｉｂｌｅ  Ｆｌａｔ  Ｃａｂｌｅ）やフレキシブルプリント回路（ＦＰＣ：Ｆｌｅｘｉｂｌｅ  Ｐｒｉｎｔｅｄ  Ｃｉｒｃｕｉｔ）に代表されるフラットケーブルを回路基板に接続するためのフラットケーブル用電気コネクタが知られている。例えば、特許文献１にはＦＰＣ用コネクタが示されている。このＦＰＣ用コネクタは、インシュレータに保持されたコンタクトと、インシュレータに回転可能に取り付けられたアクチュエータとを備えている。コンタクトは、ＦＰＣの上側への接触を担う上側接触部と下側への接触を担う下側接触部を有している。一対の接触部は連結ばね部を介して繋がっており、上側接触部の、連結ばね部よりも後方にはばね部が延びている。回転するアクチュエータによって上側の接触部の後方にあるばね部が駆動されると、上側接触部が下側に下がり、下側接触部とともにＦＰＣに接触する。
【０００３】
また、特許文献２にも、コンタクト部と筐体とアクチュエータとを備えた平型柔軟ケーブル用コネクタが示されている。コンタクト部は、ケーブルの上側に配置される第１接触ビームと下側に配置される第２接触ビームとを有している。第２接触ビームは、連結部を介して、筐体に固定された基部ビームに支持されており、第１接触ビームは、第２接触ビームに連接している。アクチュエータによって第２接触ビームの後端突部が駆動されると、第１接触ビームが下側に下がり、第２接触ビームとともにケーブルに接触する。
【先行技術文献】
【特許文献】
【０００４】
【特許文献１】特開２００２−２７０２９０号公報
【特許文献２】特開２００４−１５８２０６号公報
【発明の概要】
【発明が解決しようとする課題】
【０００５】
特許文献１のＦＰＣ用コネクタでは、コンタクトの下側の接触部がインシュレータに固定されている。この結果、ＦＰＣが上方に煽られる、すなわちＦＰＣにおけるコネクタの外側部分が上方に持ち上げられると、コンタクトの下側の接触部がＦＰＣに追従できず、接触不良を起こすおそれがある。
【０００６】
特許文献２に示された第２接触ビームは連結部に支持されており、可動である。しかし、第２接触ビームの後端突部はアクチュエータによってロックされている。したがって、ケーブルが上方に煽られると第２接触ビームが追従できず、接触不良を起こすおそれがある。
【０００７】
本発明は上記問題点を解決し、接触の信頼性が高められたフラットケーブル用電気コネクタを提供することを目的とするものである。
【課題を解決するための手段】
【０００８】
上記目的を達成する本発明のフラットケーブル用電気コネクタは、
面を上下に向けた姿勢のフラットケーブルの、前方からの挿入を受け入れるハウジング、
上記ハウジングに固定される固定部と、この固定部から上記ハウジングに受け入れられたフラットケーブルの下面に沿って前方に延びてこのフラットケーブルの下面との接触を担う下側ビームと、この下側ビームの、この固定部から前方に向かって延びる途中でこの下側ビームから分岐し、この下側ビームとの間に上記フラットケーブルの端部を受け入れる受入部を形成してこのフラットケーブルの上側に延びる作動ビームと、上記固定部から上記作動ビームの上を通りこの作動ビームを越えて前方に延びてこのフラットケーブルの上面との接触を担う上側ビームとを有するコンタクト、および
上記作動ビームに作用するカム部を有し、このカム部による上記作動ビームへの作用を解除することにより上記受入部を上記フラットケーブルを受け入れる状態に開くケーブル受入姿勢と、上記カム部で上記作動ビームを押し上げることによりこの受入部に受け入れられているフラットケーブルを上記下側ビームに下から押圧させてこのフラットケーブルを上記上側ビームとこの下側ビームとで挟持させるケーブル固定姿勢との間で回動自在なアクチュエータを備えたことを特徴とする。
【０００９】
本発明のフラットケーブル用電気コネクタでは、アクチュエータが作動ビームを押し上げることにより、下側ビームがフラットケーブルに下から押圧するように接触する。このため、フラットケーブルが上方に煽られた場合でも下側ビームがフラットケーブルに追従する。したがって、本発明のフラットケーブル用電気コネクタでは、アクチュエータによって下側ビームを押し上げない場合と比べて下側ビームの変位量が大きいので、上方に煽られたフラットケーブルへの接圧が大きく、接触の信頼性が高い。
【００１０】
ここで、上記本発明のフラットケーブル用電気コネクタにおいて、上記フラットケーブルは、上記ハウジングに受け入れられる端部に、端縁寄りの端縁側端子と、この端縁から離れてこの端縁側端子に隣接した位置の奥側端子とがこの端縁に沿う幅方向に交互に配置されたものであって、
上記コンタクトが、上記奥側端子との接触を分担するものであり、
当該フラットケーブル用電気コネクタがさらに、
上記ハウジングに固定される第２の固定部と、この第２の固定部から互いに分岐し上記フラットケーブルを互いの間に受け入れる第２の受入部を形成してこのフラットケーブルのそれぞれ下面および上面への接触を担う第２の下側ビームおよび第２の上側ビームとを有し、上記端縁側端子との接触を分担する第２のコンタクトを備え、
上記アクチュエータがさらに、上記第２の上側ビームに作用する第２のカム部であって、上記ケーブル受入姿勢ではこの第２の上側ビームへの作用を解除することにより上記第２の受入部を上記フラットケーブルを受け入れる状態に開くとともに上記ケーブル固定姿勢では上記第２の上側ビームを押し下げることによりこの第２の受入部に受け入れられているフラットケーブルを上記第２の上側ビームに上から押圧させて、このフラットケーブルをこの第２の上側ビームと上記第２の下側ビームとで挟持させる第２のカム部を有するものであることが好ましい。
【００１１】
奥側端子との接触を分担するコンタクトと、端縁側端子との接触を分担する第２のコンタクトとが交互に配置されることによって、フラットケーブルの端部に、コンタクトの下側ビームによる上向きの力と、第２のコンタクトの上側ビームによる下向きの力とが交互に加わる。このため、フラットケーブルの保持力が増大する。
【発明の効果】
【００１２】
以上説明したように、本発明によれば、接触の信頼性が高められたフラットケーブル用電気コネクタが実現する。
【図面の簡単な説明】
【００１３】
【図１】本発明の一実施形態であるＦＰＣコネクタの平面図である。
【図２】ＦＰＣコネクタの正面図および側面図であり、パート（Ａ）が正面図、パート（Ｂ）が側面図である。
【図３】ＦＰＣコネクタの底面図である。
【図４】アクチュエータが固定姿勢にある状態を示す図である。
【図５】図２に示すＦＰＣコネクタＣの５−５線断面を示す図であり、パート（Ａ）はアクチュエータ２が受入姿勢にある状態を示し、パート（Ｂ）は固定姿勢にある状態を示す。
【図６】図２に示すＦＰＣコネクタＣの６−６線断面を示す図である。
【図７】図６に示すアクチュエータと第１コンタクトの動作を説明する断面図であり、パート（Ａ）はＦＰＣ９の端部が挿入された状態を示し、パート（Ｂ）はアクチュエータの操作途中の状態を示し、パート（Ｃ）はアクチュエータが固定姿勢になった状態を示す。
【図８】図２に示すＦＰＣコネクタＣの８−８線断面を示す図である。
【図９】図８に示すアクチュエータと第２コンタクトの動作を説明する断面図であり、パート（Ａ）はＦＰＣ９の端部９２が挿入された状態を示し、パート（Ｂ）はアクチュエータの操作途中の状態を示し、パート（Ｃ）はアクチュエータが固定姿勢になった状態を示す。
【図１０】ＦＰＣが上方に煽られた状態を説明する断面図である。
【発明を実施するための形態】
【００１４】
以下図面を参照して本発明の実施の形態を説明する。
【００１５】
図１は、本発明の一実施形態であるＦＰＣコネクタの平面図である。また、図２は、ＦＰＣコネクタの正面図および側面図であり、パート（Ａ）が正面図、パート（Ｂ）が側面図である。また、図３は、ＦＰＣコネクタの底面図である。
【００１６】
図１〜図３に示すＦＰＣコネクタＣは、図示しない回路基板の表面に取り付けられ、ＦＰＣ９と回路基板とを電気的に接続するコネクタである。図１には、ＦＰＣコネクタＣと接続されるＦＰＣ９も示されている。
【００１７】
図１に示すＦＰＣ９は、柔軟な帯状のケーブルであり複数の導体９１を有している。ＦＰＣ９の端部９２には、導体９１のそれぞれに続いて設けられた端子９３，９４が露出している。図１に示すＦＰＣ９の端子９３，９４は、端縁側端子９４と、奥側端子９３とからなる。端縁側端子９４は、端部９２の、端縁９２ａ寄りに配置されており、奥側端子９３は、端縁９２ａから離れて端縁側端子９４に隣接した位置に配置されている。端縁側端子９４および奥側端子９３は、端縁９２ａに沿ったＦＰＣ９の幅方向Ｗに２列に並んでいる。また、端縁側端子９４と奥側端子９３とは幅方向Ｗに交互に配置されている。図１には端部９２の上面が示されているが、ＦＰＣ９は、図示しない下面にも上面と同様に、端縁側端子および奥側端子が配置されている。下面の端縁側端子および奥側端子のそれぞれは、図１に示す上面の端縁側端子９４および奥側端子９３のそれぞれと、板状の端部９２を挟んでちょうど反対の位置に配置されている。端部９２を挟んで反対の位置に配置された端子同士は互いに導通している。ＦＰＣ９は、上面および下面が挟まれることによって、上面および下面の双方に配置された端子への接続が可能となっている。また、端部９２の幅方向Ｗ両側には、ＦＰＣコネクタＣからの抜け止めのための抜止め突起９５も設けられている。
【００１８】
図１〜図３に示すＦＰＣコネクタＣは、ハウジング１、アクチュエータ２、第１コンタクト３、第２コンタクト４、およびペグ５を備えている。
【００１９】
［ハウジング］
ハウジング１は、絶縁性の合成樹脂で形成された部材である。ハウジング１は、アクチュエータ２、第１コンタクト３、第２コンタクト４を支持している。ハウジング１は、ＦＰＣ９（図１参照）の端部９２を受け入れる。
【００２０】
ここで、ＦＰＣコネクタＣにおいて、ＦＰＣ９に向いた方向を前方Ｆと称し、その反対方向を後方Ｂと称する。また、ＦＰＣ９の端縁９２ａに沿った方向、すなわち幅方向Ｗに沿った方向を右方向Ｒおよび左方向Ｌと称する。また、ＦＰＣコネクタＣが取り付けられる図示しない基板に向いた方向を下方Ｄとし、その反対方向を上方Ｕと称する。また、前方Ｆおよび後方Ｂを併せて前後方向ＦＢと称し、右方向Ｒおよび左方向Ｌを左右方向ＲＬと称し、上方Ｕおよび下方Ｄを併せて上下方向ＵＤと称する。
【００２１】
ＦＰＣ９は、端縁９２ａに沿った幅方向ＷをＦＰＣコネクタＣの左右方向ＲＬに合わせた状態で、ハウジング１に挿入される。
【００２２】
［アクチュエータ］
アクチュエータ２は、絶縁性の合成樹脂で形成された部材である。アクチュエータ２は、ハウジング１に対し回動自在に支持されている。アクチュエータ２は、操作によって、ＦＰＣコネクタＣにＦＰＣ９を固定する固定姿勢と、ＦＰＣ９の受け入れおよび取外しが自在な受入姿勢との間で回転する。図１〜図３には、アクチュエータ２が上方Ｕに立ち上がった受入姿勢が示されている。アクチュエータ２には、回転軸やカムが設けられているが、これらの部分については後述する。
【００２３】
図４は、アクチュエータが固定姿勢にある状態を示す図である。ＦＰＣコネクタＣは、いわゆるバックフリップタイプのアクチュエータ２を有する。図４には、ＦＰＣ９が、ＦＰＣコネクタＣに、前方Ｆから後方Ｂに向かって、より詳細には下方Ｄに傾いた方向に挿入され、その後、アクチュエータ２が後方Ｂに向かって矢印Ｅ方向に回転して倒れた固定姿勢が示されている。図４に示す固定姿勢では、ＦＰＣ９がＦＰＣコネクタＣに固定される。また、ＦＰＣ９の抜止め突起９５が、ペグ５に設けられたＦＰＣ係止爪５４に係止することによって、ＦＰＣ９の抜け止めが防止される。
【００２４】
［コンタクト］
再び図１〜図３を参照して説明を続ける。第１コンタクト３および第２コンタクト４は、左右方向ＲＬに交互に並んでいる。本実施形態のＦＰＣコネクタＣは４１極のコネクタであり、２０個の第１コンタクト３と、２１個の第２コンタクト４とを有している。これらのコンタクト３，４に、端から順に番号を付与すると、本実施形態の場合には、第１コンタクト３が偶数コンタクトとなり、第２コンタクト４が奇数コンタクトとなる。第１コンタクト３はＦＰＣ９の奥側端子９３（図１参照）への接触を担い、第２コンタクト４は、端縁側端子９４への接触を担う。第１コンタクト３は本発明にいうコンタクトの一例に相当し、第２コンタクト４は本発明にいう第２のコンタクトの一例に相当する。これらコンタクト３，４の詳細については後述する。
【００２５】
［ペグ］
ハウジング１の左右方向ＲＬ両端近傍には２つのペグ５が配置されている。
【００２６】
図５は、図２に示すＦＰＣコネクタＣのペグ近傍を通る５−５線断面を示す図であり、図５のパート（Ａ）はアクチュエータ２が受入姿勢にある状態を示し、パート（Ｂ）は固定姿勢にある状態を示す。
【００２７】
ペグ５は、圧入部５１、半田固定部５２、軸受部５３、およびＦＰＣ係止爪５４を有する。ペグ５は、金属板を打抜加工することにより形成された部材であり、圧入部５１、半田固定部５２、軸受部５３、およびＦＰＣ係止爪５４は一体に形成されている。ペグ５は、圧入部５１がハウジング１に圧入されることによって、ハウジング１に固定されている。ペグ５の半田固定部５２は、ハウジング１の下面に露出している。半田固定部５２が図示しない回路基板に半田接続されることによって、ＦＰＣコネクタＣが回路基板に確実に固定される。軸受部５３はＵ字状であり、アクチュエータ２に設けられた回転軸２１を保持している。アクチュエータ２は、ペグ５を介してハウジング１に支持されており、ハウジング１に対して回動自在に支持されている。
【００２８】
アクチュエータ２は、軸受部５３に保持された回転軸２１を中心として、図５のパート（Ａ）に示す受入姿勢からパート（Ｂ）に示す固定姿勢まで、略９０°の範囲で回動する。
【００２９】
なお、アクチュエータ２の回動範囲は９０°未満でもよいし、９０°を超えてもよい。
【００３０】
［第１コンタクト］
図６は、図２に示すＦＰＣコネクタＣの第１コンタクト３近傍を通る６−６線断面を示す図である。
【００３１】
第１コンタクト３は、固定部３１、半田接続部３２、下側ビーム３３、作動ビーム３４、および上側ビーム３５を備えている。第１コンタクト３は、金属板を打抜加工することにより形成された部材であり、固定部３１、半田接続部３２、下側ビーム３３、作動ビーム３４、および上側ビーム３５は一体に形成されている。第１コンタクト３は、ハウジング１の後方から前方Ｆに向かってハウジング１内に挿入されている。固定部３１には係止爪３１１が突出している。固定部３１がハウジング１に圧入・固定されることによって、第１コンタクト３はハウジング１に支持されている。半田接続部３２は、ハウジング１の下面に露出している。半田接続部３２が図示しない回路基板に半田接続されることによって、第１コンタクト３が回路基板と電気的に接続される。
【００３２】
下側ビーム３３は、ハウジング１内の後方寄りにある固定部３１から、前方Ｆに延びた片持ちばねである。下側ビーム３３は、ハウジング１の底壁１１にほぼ沿って延びており、ＦＰＣ９の下面との接触を担っている。下側ビーム３３の先端には、ＦＰＣ９の下面と接触する接点３３１が上方Ｕに突出している。
【００３３】
作動ビーム３４は、下側ビーム３３の、固定部３１から前方Ｆに向かって延びる途中で下側ビーム３３から分岐して延びた部分である。作動ビーム３４は、下側ビーム３３との間にＦＰＣ９の端部９２を受け入れる受入部３ａを形成して、ＦＰＣ９の上側に延びている。
【００３４】
アクチュエータ２の、第１コンタクト３が配置された部分には、第１カム部２２が設けられている。アクチュエータ２の第１カム部２２は、第１コンタクト３の作動ビーム３４の先端部分とカム係合している。
【００３５】
第１コンタクト３の上側ビーム３５は、固定部３１から分かれて前方Ｆに延びた片持ちばねである。上側ビーム３５は、固定部３１から下側ビーム３３とは別に延びている。上側ビーム３５は、作動ビーム３４の上を通り、作動ビーム３４を越えて作動ビーム３４よりも前方Ｆに延びている。上側ビーム３５の先端部分は、下方Ｄに曲がり、ＦＰＣ９の上面と接触する接点３５１となっている。
【００３６】
図７は、図６に示すアクチュエータと第１コンタクトの動作を説明する断面図である。図７のパート（Ａ）はＦＰＣ９の端部９２が挿入された状態を示し、パート（Ｂ）はアクチュエータの操作途中の状態を示し、パート（Ｃ）はアクチュエータが固定姿勢になった状態を示す。
【００３７】
図７のパート（Ａ）には、受入状態のアクチュエータ２が示されている。この状態では、アクチュエータ２の第１カム部２２は、作動ビーム３４への作用を解除しており、受入部３ａがＦＰＣ９を受け入れる状態に開いている。図７のパート（Ａ）に示すように、ハウジング１にＦＰＣ９の端部９２が受け入れられた状態で、図７のパート（Ｂ）に示すようにアクチュエータ２が後方Ｂに回転すると、第１カム部２２が回転し、カムフォロワである作動ビーム３４の先端部分を上方Ｕに押し上げる。作動ビーム３４は、下側ビーム３３の途中から延びているため、作動ビーム３４が押し上げられることによって、固定部３１寄りの幅狭の根元部分３１ａが弾性変形し、下側ビーム３３、特に接点３３１のある先端部分がこの根元部分３１ａを中心として上方Ｕに回転しながら上昇する。下側ビーム３３の接点３３１は、ＦＰＣ９の端部９２の下面、より詳細には、図１に示す奥側端子９３のちょうど裏に配置された奥側端子（図示しない）と接触し、接触した部分を上方Ｕに押圧する。この結果、ＦＰＣ９の端部９２の上面、より詳細には、図１に示す奥側端子９３が、上側ビーム３５の接点３５１と接触する。図７のパート（Ｃ）に示す状態では、ＦＰＣ９の端部９２は、下側ビーム３３と上側ビーム３５とによって挟持される。すなわち、下側ビーム３３と上側ビーム３５とは、ＦＰＣ９の端部９２に弾性的に接触しており、弾性力によって端部９２を互いに相手側に付勢した状態となっている。したがって、第１コンタクト３は、ＦＰＣ９の上面および下面の双方で、端子に確実に接触する。また、図７のパート（Ｃ）に示す状態では、上側ビーム３５は、先端よりも固定部３１寄りの部分が、固定姿勢に倒れたアクチュエータ２に当接している。
【００３８】
［第２コンタクト］
図８は、図２に示すＦＰＣコネクタＣの第２コンタクト近傍を通る８−８線断面を示す図である。
【００３９】
第２コンタクト４は、固定部４１、半田接続部４２、下側ビーム４３、補強ビーム４４、および上側ビーム４５を備えている。第２コンタクト４は、金属板を打抜加工することにより形成された部材であり、固定部４１、半田接続部４２、下側ビーム４３、補強ビーム４４、および上側ビーム４５は一体に形成されている。ここで、固定部４１、下側ビーム４３、および上側ビーム４５が、本発明にいう第２の固定部、第２の下側ビーム、および第２の上側ビームのそれぞれ一例に相当する。
【００４０】
第２コンタクト４は、第１コンタクト３（図６参照）とは逆に、ハウジング１の前方から後方Ｂに向かってハウジング１内に挿入されている。固定部４１には係止爪４１１が突出している。固定部４１がハウジング１に圧入・固定されることによって、第２コンタクト４はハウジング１に支持されている。第２コンタクト４の固定部４１は、全体がＬ字状に曲がった形状を有しており、ハウジング１内の後方部分から、ハウジング１内の下方を前方Ｆに延びている。半田接続部４２は、固定部４１の前方Ｆの先端に設けられており、ハウジング１の下面に露出している。半田接続部４２が図示しない回路基板に半田接続されることによって、第２コンタクト４が回路基板と電気的に接続される。
【００４１】
下側ビーム４３は、固定部４１の前方Ｆの先端から、後方Ｂに延びた片持ちばねである。下側ビーム４３は、ハウジング１に受け入れられるＦＰＣ９（図４参照）の下面に沿って延びており、ＦＰＣ９の下面との接触を担っている。下側ビーム４３の先端には、ＦＰＣ９の下面と接触する接点４３１が上方Ｕに突出している。
【００４２】
上側ビーム４５は、固定部４１の後方部分から前方Ｆに延びた片持ちばねである。上側ビーム４５は、固定部４１から下側ビーム４３とは別に延びている。上側ビーム４５は、下側ビーム４３との間にＦＰＣ９の端部９２を受け入れる第２受入部４ａを形成して、ＦＰＣ９の上側に延びている。上側ビーム４５の先端には、ＦＰＣ９の上面と接触する接点４５１が下方Ｄに突出している。
【００４３】
アクチュエータ２の、第２コンタクト４が配置された部分には、第２カム部２３が設けられている。アクチュエータ２の第２カム部２３は、第２コンタクト４の上側ビーム４５とカム係合している。
【００４４】
補強ビーム４４は、固定部４１の後方部分の上端から前方Ｆに延びた片持ちばねである。補強ビーム４４は、上側ビーム４５および下側ビーム４３の双方とは別に延びている。補強ビーム４４は、上側ビーム４５よりも、上方に延びており、第２カム部２３の上部に接触している。補強ビーム４４は、上側ビーム４５を押し下げる第２カム部２３を上から押さえる。
【００４５】
図９は、図８に示すアクチュエータと第２コンタクトの動作を説明する断面図である。図９のパート（Ａ）はＦＰＣ９の端部９２が挿入された状態を示し、パート（Ｂ）はアクチュエータの操作途中の状態を示し、パート（Ｃ）はアクチュエータが固定姿勢になった状態を示す。
【００４６】
図９のパート（Ａ）には、受入状態のアクチュエータ２が示されている。この状態では、アクチュエータ２の第２カム部２３は、上側ビーム４５への作用を解除しており、受入部４ａがＦＰＣ９を受け入れる状態に開いている。図９のパート（Ａ）に示すように、ハウジング１にＦＰＣ９の端部９２が受け入れられた状態で、図９のパート（Ｂ）に示すようにアクチュエータ２が後方Ｂに回転すると、第２カム部２３が回転し、カムフォロワである上側ビーム４５の先端部分を下方Ｄに押し下げる。上側ビーム４５の接点４５１は、ＦＰＣ９の端部９２の上面、より詳細には、図１に示す端縁側端子９４と接触し、接触した部分を下方Ｄに押圧する。この結果、ＦＰＣ９の端部９２の下面、より詳細には、図１に示す端縁側端子９４のちょうど裏に配置された端縁側端子（図示しない）が、下側ビーム４３の接点４３１と接触する。図９のパート（Ｃ）に示す状態では、ＦＰＣ９の端部９２は、下側ビーム４３と上側ビーム４５とによって挟持される。すなわち、下側ビーム４３と上側ビーム４５とは、ＦＰＣ９の端部９２に弾性的に接触しており、弾性力によって端部９２を互いに相手側に付勢した状態となっている。したがって、第２コンタクト４は、ＦＰＣ９の上面および下面の双方で、端子に確実に接触する。また、図９のパート（Ｃ）に示す状態では、第２カム部２３を上から押さえる補強ビーム４４が、倒れたアクチュエータ２に当接している。
【００４７】
［ＦＰＣの固定］
図７のパート（Ａ）および図９のパート（Ａ）に示すように、アクチュエータ２が受入姿勢となったＦＰＣコネクタＣに、ＦＰＣ９の端部９２が挿入された後、アクチュエータ２が固定姿勢に回転操作されると、ＦＰＣ９の端部９２がＦＰＣコネクタＣに固定される。具体的には、図１に示すＦＰＣ９の端部９２のうち、端縁９２ａ寄りの位置で幅方向Ｗに並んだ端縁側端子９４の部分が、図９のパート（Ｃ）に示す第２コンタクト４の下側ビーム４３と上側ビーム４５とによって挟持される。また、図１に示すＦＰＣ９の端部９２のうち、端縁９２ａから離れて幅方向Ｗに並んだ奥側端子９３の部分が、図７のパート（Ｃ）に示す第１コンタクト３の上側ビーム３５および下側ビーム３３によって挟持される。ＦＰＣ９の端部９２のうち、端縁側端子９４の部分と奥側端子９３の部分が、挟持されることでＦＰＣ９の姿勢が固定される。またさらに、図４に示したように、姿勢が固定されたＦＰＣ９の抜止め突起９５が、ペグ５に設けられたＦＰＣ係止爪５４に係止することによって、ＦＰＣ９の抜け止めが防止される。
【００４８】
図１０は、ＦＰＣが上方に煽られた状態を説明する断面図である。
【００４９】
図１０には、ＦＰＣコネクタＣに固定されたＦＰＣ９が上方に煽られた状態、すなわち、コネクタの外側の部分が図示しない回路基板から離れる上方Ｕに力を受けて持ち上げられた状態が示されている。この場合、ＦＰＣ９の端部９２も上方Ｕに持ち上がり、端部９２のうち、特に、ＦＰＣコネクタＣの挿入口に近い奥側端子９３（図１参照）の部分の持ち上がりが大きい。
【００５０】
本実施形態のＦＰＣコネクタＣは、奥側端子９３（図１参照）の部分に接触する第１コンタクト３の下側ビーム３３が、作動ビーム３４に駆動されて、ＦＰＣ９の端部９２を上方Ｕに付勢している。このため、下側ビーム３３が、ＦＰＣ９の端部９２の上方Ｕへの変位に追従する。したがって、上側ビーム３５のみならず下側ビーム３３による端部９２への高い接圧が維持される。よって、ＦＰＣ９が上方に煽られても、端部９２の上面および下面の双方で接触が維持されるため、接触の信頼性が高い。
【００５１】
また、ＦＰＣ９が上方に煽られると、上側ビーム３５がＦＰＣ９によって上方Ｕに持ち上げられる。上側ビーム３５は、先端よりも固定部３１寄りの部分が、固定姿勢のアクチュエータ２に当接しているため、アクチュエータ２を上方Ｕに持ち上げる。アクチュエータ２は、ペグ５（図５参照）を介してハウジング１に保持されているものの、樹脂製であるため、力を受けて上方Ｕへ弾性変位する。このとき、アクチュエータ２は、第１カム部２２を介して作動ビーム３４の先端をさらに上方に押し上げる。作動ビーム３４が押し上げられることによって、下側ビーム３３の接点３３１がさらに上昇する。このようにして、下側ビーム３３がＦＰＣ９の上昇に追従する。したがって、接触の信頼性がさらに高まっている。
【００５２】
また、本実施形態のＦＰＣコネクタＣは、第１コンタクト３および第２コンタクト４が左右方向ＲＬすなわち幅方向Ｗに交互に配置されている。ＦＰＣ９がＦＰＣコネクタＣに固定された状態において、第１コンタクト３は、下側ビーム３３がＦＰＣ９の端部９２を上方Ｕに押し上げる力によって端部９２を挟持し、第２コンタクト４は、上側ビーム４５が端部９２を下方Ｄに押し下げる力によって端部９２を挟持する。端部９２に対し、上方Ｕへの力と下方Ｄへの力が幅方向Ｗに交互に加わるため、第１コンタクト３および第２コンタクト４による端部９２の保持力が増加する。
【００５３】
また、上述した実施形態には、端縁側端子９４と奥側端子９３とが２列に並んだＦＰＣ９と接続するＦＰＣコネクタＣが示されている。ただし、本発明はこれに限られるものではなく、例えば、端子が１列に並んだフラットケーブルを対象とするものであってもよい。
【００５４】
なお、上述した実施形態には、本発明にいうフラットケーブル用電気コネクタの例として、第１コンタクト３および第２コンタクト４の双方を備えたＦＰＣコネクタＣが示されている。ただし、本発明はこれに限られるものではなく、例えば、フラットケーブル用電気コネクタは、第１コンタクト３のみを備えたものであってもよい。
【００５５】
また、本実施形態では、ＦＰＣを対象とするＦＰＣコネクタＣが示されている。ただし、本発明のフラットケーブル用電気コネクタはＦＰＣを対象とするものに限らず、可撓性を有するフラット状の部材であって、導体を有するものであればよく、例えば、ＦＦＣ等であってもよい。
【００５６】
また、フラットケーブル用電気コネクタが備えるコンタクトの数は、４０以下であってもよく、また、４２以上であってもよい。
【００５７】
また、本実施形態では、いわゆるバックフリップタイプのアクチュエータ２を有するＦＰＣコネクタＣが示されている。ただし、本発明のフラットケーブル用電気コネクタはフロントフリップタイプのアクチュエータを有するものであってもよい。
【符号の説明】
【００５８】
Ｃ    ＦＰＣコネクタ
１    ハウジング
２    アクチュエータ
２２    第１カム部
２３    第２カム部
３    第１コンタクト
３ａ    受入部
３１    固定部
３３    下側ビーム
３４    作動ビーム
３５    上側ビーム
４    第２コンタクト
４ａ    受入部
４１    固定部
４３    下側ビーム
４４    補強ビーム
４５    上側ビーム
９    ＦＰＣ
９２ａ    端縁
９２    端部
９３    奥側端子
９４    端縁側端子
Ｗ    幅方向
【図１】
0005828727.tif 000002
【図２】
0005828727.tif 000003
【図３】
0005828727.tif 000004
【図４】
0005828727.tif 000005
【図５】
0005828727.tif 000006
【図６】
0005828727.tif 000007
【図７】
0005828727.tif 000008
【図８】
0005828727.tif 000009
【図９】
0005828727.tif 000010
【図１０】
0005828727.tif 000011